(57)【要約】【課題】電池を電源とする端末機器と、商用電源を用いる中央装置との間の無線通信に際し、端末機器の電池の消耗を低減できる無線通信方法を提供する。【解決手段】電池を電源とし、情報を送受信可能な端末機器20と、商用電源を電源とし、該端末機器と情報を送受信可能な中央装置10との間の無線通信方法であって、端末機器で、中央装置からの接続要求確認を所定時間毎に行なう待機シーケンスと、中央装置に電源が投入された後、中央装置から端末機器へ接続要求送信を行なう接続確立シーケンスと、端末機器と中央装置との間で接続が確立された後、端末機器と中央装置との間で情報の送受信を行なう送受信シーケンスと、を有する。【選択図】図２
2011130139.tif 000002
【特許請求の範囲】
【請求項１】
電池を電源とし、情報を送受信可能な端末機器と、
商用電源を電源とし、該端末機器と情報を送受信可能な中央装置との間の無線通信方法であって、
端末機器で、中央装置からの接続要求確認を所定時間毎に行なう待機シーケンスと、
中央装置に電源が投入された後、中央装置から端末機器へ接続要求送信を連続して行なう接続確立シーケンスと、
端末機器と中央装置との間で接続が確立された後、端末機器と中央装置との間で情報の送受信を行なう送受信シーケンスと、
を有することを特徴とする中央装置と端末機器との間の無線通信方法。
【請求項２】
電池を電源とし、情報を送受信可能な端末機器と、
商用電源を電源とし、該端末機器と情報を送受信可能な中央装置との間の無線通信方法であって、
端末機器で、中央装置への接続要求送信を所定時間毎に行なう待機シーケンスと、
中央装置に電源が投入された後、中央装置で端末機器からの接続要求確認を連続して行なう接続確立シーケンスと、
端末機器と中央装置との間で接続が確立された後、端末機器と中央装置との間で情報の送受信を行なう送受信シーケンスと、
を有することを特徴とする中央装置と端末機器との間の無線通信方法。
【請求項３】
電池を電源とし、情報を送受信可能な端末機器と、
商用電源を電源とし、該端末機器と情報を送受信可能な中央装置との間の無線通信方法であって、
端末機器がPing送信を用いて、中央装置の運転状況を確認するシーケンスと、
端末機器はPing返信を受信するまでの間のみ受信可能状態とすることができるシーケンスと、
を有することを特徴とする中央装置と端末機器との間の無線通信方法。
【請求項４】
端末機器は、中央装置への連続した情報の送受信が開始されるとPing通信を中断し、情報の送受信が終了したことを送信して、その受領を示す中央装置からの返信を受信するまでの間のみ受信可能状態とすることができるシーケンスを有する請求項３に記載の無線通信方法。
【請求項５】
端末機器は、中央装置からのPing返信がなかった場合には中央装置が運転を停止したと判断して、自らの運転も停止し、次に中央装置が運転を再開するまで待機する事ができるシーケンスを有する請求項１乃至４の何れかに記載の無線通信方法。
【請求項６】
端末機器は、複数配備され、夫々情報を送受信する請求項１乃至請求項５の何れかに記載の無線通信方法。
【発明の詳細な説明】
【技術分野】
【０００１】
本発明は、情報を送信する端末機器と、情報を受信する中央装置との間の無線通信方法に関するものであり、より具体的には、電池を電源とする端末機器の電池寿命を向上させることのできる無線通信方法に関するものである。
【背景技術】
【０００２】
締付機等の回転軸に取り付けられる締付トルク測定ユニットに情報の送信可能な端末機器を内蔵し、無線によりダイレクトにトルク値や回転角度等のデータを情報として、受信側となる中央装置に送信することのできる送受信システムを出願人は提案している(例えば、特許文献１参照)。
【０００３】
上記送受信システムでは、端末機器は電池を電源とし、中央装置は商用電源を利用している。
測定を開始して情報を送受信させる前には、端末機器及び中央装置の夫々の電源をオン状態にした後、端末機器を消費電力が大きい受信可能状態として、接続を確立させる必要がある。また、測定作業終了後、端末機器及び中央装置の夫々の電源をオフにする必要がある。
【先行技術文献】
【特許文献】
【０００４】
【特許文献１】特願２００９−９９７６４号
【発明の概要】
【発明が解決しようとする課題】
【０００５】
端末機器と中央装置の電源を夫々オンにするには、ユーザには手間が掛かる行為である。
また、ユーザに対しての利便性の為、中央装置で電源オンされると同時に自動的に端末機器の電源もオンとなるようなシステムとするために、端末機器をたえず受信可能状態で待機させた場合、電池の消耗が激しくなる。
さらに、測定作業終了後、端末機器及び中央装置の夫々の電源をオフにする必要があるが、端末機器の電源を切り忘れると、電池寿命が短命化する。
【０００６】
本発明の目的は、電池を電源とする端末機器と、商用電源を用いる中央装置との間の無線通信に際し、端末機器の電源オン、オフ操作を不要としつつ、端末機器の電池の消耗を低減させることのできる無線通信方法を提供することである。
【課題を解決するための手段】
【０００７】
上記課題を解決するために、本発明の端末機器と中央装置との間の無線通信方法は、
電池を電源とし、情報を送受信可能な端末機器と、
商用電源を電源とし、該端末機器と情報を送受信可能な中央装置との間の無線通信方法であって、
端末機器で、中央装置からの接続要求確認を所定時間毎に行なう待機シーケンスと、
中央装置に電源が投入された後、中央装置から端末機器へ接続要求送信を連続して行なう接続確立シーケンスと、
端末機器と中央装置との間で接続が確立された後、端末機器と中央装置との間で情報の送受信を行なう送受信シーケンスと、
を有する。
【０００８】
なお、上記待機シーケンスでは、端末機器で、中央装置への接続要求送信を所定時間毎に行ない、接続確立シーケンスでは、中央装置に電源が投入された後、中央装置で端末機器からの接続要求確認を連続して行なうようにしてもよい。
【発明の効果】
【０００９】
端末機器は、受信可能状態を維持するのではなく、所定時間毎に接続要求確認又は接続要求送信を行ない(待機シーケンス)、中央装置との接続が確立された場合にのみ(接続確立シーケンス)、端末機器と中央装置との間で情報の送受信を行なうようにすることで(送受信シーケンス)、電池の消費を低減することができ、電池の長寿命化を達成できる。
また、上記により、端末機器の電源を投入する手間を省くことができる。
さらに、中央装置の電源が切断、又は、中央装置との接続が切断されると、再度、待機シーケンスに戻すシーケンスを追加すると、端末機器の電池の消費を低減できる。
同様に、端末機器は、使用者が自ら電源をオフにする手間を省くことができる。
【図面の簡単な説明】
【００１０】
【図１】本発明の無線通信方法を実施する端末機器及び中央装置の概略図である。
【図２】本発明の無線通信方法の待機シーケンス及び接続シーケンス図である。
【図３】本発明の無線通信方法の測定値送受信シーケンス図である。
【図４】本発明の無線通信方法において、単位更新を行なうシーケンス図である。
【図５】本発明の無線通信方法における中央装置の電源切断シーケンス及び待機シーケンス図である。
【発明を実施するための形態】
【００１１】
図１は、本発明の無線通信方法を実施することのできる通信システムの図である。図１に示すように、通信システムは、締付機(60)等に配備された中央装置(10)と、該中央装置(10)に対して、情報を送受信可能な複数の端末機器(20)(30)(40)から構成することができる。
【００１２】
本実施例では、本発明の無線通信方法を、締付トルクを測定し送受信するシステムに適用した例を説明するが、本発明の無線通信方法は、これに限定されず、種々の無線通信に適用することができる。
【００１３】
図１では、端末機器Ａ(20)として、締付トルクを測定して送受信する締付トルク測定ユニット、端末機器Ｂ(30)として、締付トルクの測定値を表示する小型の表示器、端末機器Ｃ(40)として、締付トルクの設定、測定値、締付精度等を表示する大型の表示器を例示している。本発明の無線通信方法では、中央装置(10)と端末機器Ａ(20)はシステムとして必須である。
【００１４】
本発明の通信システムでは、中央装置(10)と端末機器(20)(30)(40)が、夫々無線により情報を送受信可能となっており、少なくとも１つの端末機器Ａ(20)は、電池を電源として作動する。なお、本実施例では、端末機器Ｂ(30)も電池を電源として作動するものであり、また、商用電源により作動する端末機器Ｃ(40)を含んでいても構わない。
【００１５】
＜端末機器Ａとの接続確立シーケンス＞
端末機器Ａ(20)は、電池を電源として作動する機器であり、締付機(60)の回転軸に取付可能な締付トルク測定ユニットから締付トルクや回転角度等に関する情報を端末機器Ａ(20)から中央装置へ送信可能となっている。
【００１６】
中央装置(10)は、商用電源にて作動し、公知の要領にて、締付機(60)の種々の制御を行なうと共に、各端末機器(20)(30)(40)と無線通信を行なう。なお、中央装置(10)には、測定データの単位を変更可能な単位変更ボタン(12)(後述する)を有する。
【００１７】
中央装置(10)は、図２に示すように、商用電源が投入されると、端末機器Ａ(20)と接続を確立させて(Ｓ１)、その後、端末機器Ｂ(30)、端末機器Ｃ(40)との接続を確立させる(Ｓ２’及びＳ２’’)こととしているが、接続確立の順序、台数等はこれらに限定されるものではない。
【００１８】
端末機器Ａ(20)に電池を接続すると(Ａ１)、図２に示すように、端末機器Ａ(20)は作動を開始し、接続要求確認(識別子Ａ)を所定時間毎に実行する(Ａ２)。この所定時間は、電池の電力消費を抑えることができる程度の時間間隔(実施例では３秒)とすることが望ましい(待機シーケンス)。
前記所定時間経過毎に、端末機器Ａ(20)は、接続要求確認(識別子Ａ)を実行し、短時間の間(例えば１／１０秒程度)、中央装置(10)からの接続要求(Ｓ２)を受信するために、受信可能状態とする。中央装置(10)からの接続要求(Ｓ２)を受信しない場合には、受信可能状態を解除して、再度、接続要求確認(識別子Ａ)を所定時間毎に実行を繰り返す。
これにより、端末機器Ａ(20)は、常に受信可能状態を維持するのではなく、所定時間毎に、短時間の受信可能状態とするだけでよいから、端末機器Ａ(20)の電池の消耗を可及的に抑えることができる。
【００１９】
端末機器Ａ(20)は、前記短時間の受信可能状態の間に、中央装置(10)からの接続要求を受信すると(Ａ３)、中央装置(10)に対して接続要求を返信することで(Ａ４)、端末機器Ａ(20)と中央装置(10)との間で接続が確立され(接続確立シーケンス)、装置種別を特定するための装置種別の送受信が、端末機器Ａ(20)と中央装置(10)との間で行なわれる(Ｓ３及びＡ５)。
なお、端末機器Ａ(20)が締付トルク測定ユニットに配備されていて、端末側で測定単位を管理している場合、締付トルク測定ユニットの測定単位を端末機器Ａ(20)から中央装置(10)へ送信し(Ａ６)、Ａｃｋ返信をもって測定単位通信の完了とすることが望ましい。
【００２０】
なお、端末機器Ａ(20)と中央装置(10)との間の接続確立を視覚的に認識することができるように、端末機器Ａ(20)及び／又は中央装置(10)に夫々ＬＥＤ等の表示部(21)(11)を配備して、これらに接続完了の表示又は電源オンの表示をさせるようにしてもよい(Ａ７及びＳ５)。
【００２１】
端末機器Ａ(20)からの中央装置(10)への測定データ等の送受信については、図３を用いて後述する。
【００２２】
＜端末機器Ｂとの接続確立シーケンス＞
端末機器Ｂ(30)として、図１に示すように、電池を電源とする小型の表示装置を例示できる。端末機器Ｂ(30)は、端末機器Ａ(20)からの測定データを、中央装置(10)から受信して表示する装置である。
端末機器Ｂ(30)は、電源スイッチ(32)を有する。非使用時に、電源スイッチ(32)をオフ操作により、電池の消耗を抑えることができる。
【００２３】
中央装置(10)は、端末機器Ａ(20)との接続が確立すると、端末機器Ｂ(30)との接続を行なうために、端末機器Ｂ(30)に対して接続要求確認(識別子Ｘ)を所定時間毎(実施例では１秒)に実行する(Ｓ６)。
【００２４】
端末機器Ｂ(30)の電源(32)をオンにすると(Ｂ１)、端末機器Ｂ(30)は、中央装置(10)に対して接続要求(識別子Ｘ)を送信する(Ｂ２)。中央装置(10)が接続要求(識別子Ｘ)を受信して(Ｓ７)、接続要求を返信すると(Ｓ８)、上記と同様、端末機器Ｂ(30)を受信可能状態とし、装置種別を特定するための装置種別の送受信を、端末機器Ｂ(30)と中央装置(10)との間で行なう(Ｂ３、Ｂ４及びＳ９)。
【００２５】
端末機器Ａ(20)から中央装置(10)へ送信されるデータの測定単位に基づいて、端末機器Ｂ(30)は、表示されるデータの単位が変わるから、中央装置(10)がその時点で有している端末機器Ａ(20)の測定単位を、端末機器Ｂ(30)との間で送受信を行なうことが望ましい(Ｂ５、Ｂ６、Ｓ１０及びＳ１１)。
【００２６】
上記により、端末機器Ｂ(30)と中央装置(10)との間で接続が確立される。
【００２７】
なお、端末機器Ｂ(30)と中央装置(10)との接続の確立を視覚的に認識することができるように、中央装置(10)と端末機器Ｂ(30)の表示部(11)(31)に、これらに接続完了の表示又は電源オンの表示をさせるようにしてもよい(Ｂ７)。
【００２８】
中央装置(10)から端末機器Ｂ(30)への測定データ等の送受信については、図３を用いて後述する。
【００２９】
＜端末機器Ｃとの接続確立シーケンス＞
端末機器Ｃ(40)として、図１に示すように、商用電源を用いた大型の表示装置を例示できる。端末機器Ｃ(40)は、端末機器Ａ(20)からの測定データ等を、中央装置(10)から受信して表示する装置である。
端末機器Ｃ(40)は、大型の表示部(41)を有し、該表示部(41)に締付トルクの設定値や、測定値、締付精度等を表示可能となっている。
端末機器Ｃ(40)は、商用電源に接続されることにより電源がオンとなる構成を例示できる(Ｃ１)。
【００３０】
中央装置(10)は、前述のとおり、端末機器Ａ(20)との接続が確立すると、別の端末機器との接続を行なうために、接続要求確認(識別子Ｘ)を所定時間毎(実施例では１秒)に実行する(Ｓ１２)。
【００３１】
端末機器Ｃ(40)が商用電源に接続されると(Ｃ１)、中央装置(10)に対して接続要求(識別子Ｘ)を送信する(Ｃ２)。中央装置(10)が接続要求(識別子Ｘ)を受信して(Ｓ１３)、接続要求を返信すると(Ｓ１４)、装置種別を特定するための装置種別の送受信が、端末機器Ｃ(40)と中央装置(10)との間で行なわれる(Ｃ４、Ｃ５及びＳ１５)。
【００３２】
端末機器Ａ(20)から中央装置(10)へ送信されるデータの単位に基づいて、端末機器Ｃ(40)は、表示されるデータの単位が変わるから、中央装置(10)がその時点で有している端末機器Ｂ(30)の測定単位を、端末機器Ｃ(40)との間で送受信を行なうことが望ましい(Ｃ６、Ｃ７、Ｓ１６及びＳ１７)。
また、締付トルクの設定値を、中央装置(10)から端末機器Ｃ(40)へ送信することもできる(Ｃ８及びＳ１８)。
【００３３】
上記により、端末機器Ｃ(40)と中央装置(10)との間で接続が確立される。
【００３４】
なお、端末機器Ｃ(40)と中央装置(10)との接続の確立を視覚的に認識することができるように、中央装置(10)と端末機器Ｃ(40)の表示部(11)(41)に、これらに接続完了の表示又は電源オンの表示をさせるようにしてもよい(Ｃ９)。
【００３５】
中央装置(10)から端末機器Ｃ(40)への測定データ等の送受信については、図３を用いて後述する。
【００３６】
＜端末機器Ａとの測定値送受信シーケンス＞
前記接続確立シーケンスにより、端末機器(20)(30)(40)が中央装置(10)と接続確立した状態で(接続確立シーケンス)、締付機(60)を作動させると、締付トルク測定ユニットにて測定された締付トルクや回転角度等の測定値のデータが、順次端末機器Ａ(20)へ入力される(Ａ２０)。
端末機器Ａ(20)は、所定タイミング(例えば測定値が５回入力又は１０ｍｓ毎)に達すると、端末機器Ａ(20)から中央装置(10)へ測定値を送信する(Ａ２１〜Ａ２４)。中央装置(10)は、端末機器Ａ(20)から送信された測定値を順次受信し(Ｓ２０〜Ｓ２３)、後述するとおり、端末機器Ｂ(30)や端末機器Ｃ(40)に送信する。
なお、端末機器Ａ(20)から送信される測定値は、測定値の時系列的に並べたものでもよいし、測定値の最大値のみとすることもできる。
【００３７】
端末機器Ａ(20)は、締付が完了し、締付トルク測定ユニットが測定値を確定する(例えば、ピークトルクを検出する)まで、測定値の送信を続け、測定値が確定すると、確定送信値を送信し(Ａ２５)、中央装置(10)から端末機器Ａ(20)へＡｃｋ信号(肯定応答信号)を送信して(Ｓ２４)、端末機器Ａ(20)がＡｃｋ信号を受信することで(Ａ２６)、一回の測定値送受信シーケンスが完了する。
【００３８】
＜端末機器Ｂとの測定値送受信シーケンス＞
端末機器Ｂ(30)は、中央装置(10)との接続が確立された後、中央装置(10)の運転状況を確認する為に、所定時間(例えば５秒)毎にＰｉｎｇ信号を送信し(Ｂ２０)、中央装置(10)は、Ｐｉｎｇ信号を受信すると(Ｓ２５)、Ｐｉｎｇ信号を返信して(Ｓ２６)、両者の接続を確認しておく。
端末機器Ｂ(30)は、Ｐｉｎｇ返信を受信するまでの間のみ、受信可能状態としておくことが望ましく、これにより電池の消耗を低減させることができる。
【００３９】
中央装置(10)が、端末機器Ａ(20)から測定値を受信すると(Ｓ２０)、中央装置(10)は、受信したＰｉｎｇ信号に対する返信信号に、端末機器Ｂ(30)への受信待機依頼の信号を含めて送信する(Ｓ２７)。
この信号を受信すると(Ｂ２１)、端末機器Ｂ(30)は、Ｐｉｎｇ通信を中断し、中央装置(10)からの受信待機状態終了（Ｓ２９）の信号を受信するまでの間のみ受信可能状態とする(Ｂ２２)。これにより、端末機器Ｂ(30)の電池の消耗を低減させることができる。
次に、中央装置(10)は、端末機器Ａ(20)から受信した測定値を端末機器Ｂ(30)に表示値信号として送信する(Ｓ２８)。端末機器Ｂ(30)は、受信した表示値信号を順次表示部(31)に表示する(Ｂ２３)。
【００４０】
なお、中央装置(10)は、端末機器Ａ(20)から受信した複数の測定値信号からその最大値等のみ取り出して、端末機器Ａ(20)からの送信値受信間隔(本実施例の場合１０ｍｓ)よりも間隔を広げて(例えば５００ｍｓ)送信するようにし、端末機器Ｂ(30)の表示部(31)に表示される表示値の更新間隔が長くなるようにすることが望ましい。これにより、端末機器Ｂ(30)の送受信間隔を広げることができるから、端末機器Ｂ(30)の電池消耗を低減でき、また、中央装置(10)の動作負荷が減少する。
【００４１】
中央装置(10)は、端末機器Ａ(20)から確定送信値を受信し、Ａｃｋ信号を返信すると(Ｓ２４)、表示値が確定したことを示す確定表示値信号を端末機器Ｂ(30)に送信し(Ｓ２９)、端末機器Ｂ(30)は、該信号を受信すると、送受信状態として、Ａｃｋ信号を中央装置(10)へ送信する(Ｂ２４)。
【００４２】
上記により、端末機器Ｂ(30)に端末機器Ａ(20)の測定値を表示することができる。
【００４３】
＜端末機器Ｃとの測定値送受信シーケンス＞
端末機器Ｃ(40)は、商用電源を用いているため、中央装置(10)との接続が確立された後、常時受信可能状態に移行する。
その後、中央装置(10)は、端末機器Ａ(20)から受信した測定値を端末機器Ｃ(40)に表示値信号として送信する(Ｓ３０)。
【００４４】
なお、中央装置(10)は、前記端末機器Ｂ(30)の場合と同様に、端末機器Ａ(20)から受信した複数の測定値信号からその最大値等のみ取り出して、端末機器Ａ(20)からの送信値受信間隔(本実施例の場合１０ｍｓ)よりも間隔をあけて(例えば５００ｍｓ)送信するようにし、端末機器Ｃ(40)の表示部(41)に表示される表示値の更新間隔が長くなるようにすることが望ましい。これにより、端末機器Ｃ(40)における同じ表示値の更新期間を長くすることができ、中央装置(10)の動作負荷が減少する。
【００４５】
中央装置(10)は、端末機器Ａ(20)から確定送信値を受信し、Ａｃｋ信号を返信すると、表示値が確定したことを示す確定表示値信号を端末機器Ｃ(40)に送信し(Ｓ３１)、端末機器Ｃ(40)は、該信号を受信すると、Ａｃｋ信号を中央装置(10)へ送信する(Ｃ２１)。
【００４６】
上記により、端末機器Ｃ(40)に端末機器Ａ(20)の測定値や締付トルク設定値等を表示することができる。
【００４７】
上記測定値送受信シーケンスによって、端末機器Ａ(20)の測定値が、端末機器Ｂ(30)及び端末機器Ｃ(40)に送信され、夫々で表示することができる。
【００４８】
＜単位変更シーケンス＞
本実施例における中央装置(10)は、単位変更ボタン(12)の操作により、表示する測定値の単位を変更できるようにしている。これは、使用者の所望により、表示単位をＮ・ｍからｋｇｆ・ｍに変更したり、角度表示に変更することが要求されることがあるからである。
【００４９】
単位変更シーケンスは、図４に示すように、端末機器Ａ(20)が測定値の入力を受けていない状態で行なうことができる。
端末機器Ａ(20)の測定値の入力がない状態で、端末機器Ａ(20)及び端末機器Ｂ(30)は、中央装置(10)との接続が確立された後、所定時間(例えば５秒)毎にＰｉｎｇ信号を送信して、Ｐｉｎｇ信号を受信するまで短時間受信可能状態とし、中央装置(10)は、Ｐｉｎｇ信号を受信すると、Ｐｉｎｇ信号を返信して、両者の接続を確認しておく(Ａ４０、Ｂ４０、Ｓ４０及びＳ４１)。
端末機器Ａ(20)は、Ｐｉｎｇ信号を受信した後は、所定時間(５秒)は、受信可能状態を解除し、電池の消耗を抑えるようにすることができる。
【００５０】
両者の接続を確認している間に、中央装置(10)の単位変更ボタン(12)が操作され、表示単位の変更が行われると(Ｓ４２)、中央装置(10)は、自身の表示部(11)の表示を変更する(Ｓ４３)。
【００５１】
端末機器Ｃ(40)については、商用電源を用いているから、受信可能状態とすることができ、中央装置(10)は、端末機器Ｃ(40)へ変更された単位を送信し(Ｓ４４)、端末機器Ｃ(40)の表示を更新して(Ｃ４０)、Ａｃｋ信号を受信する(Ｓ４５)。
【００５２】
また、中央装置(10)は、電池式の電源である端末機器Ａ(20)及び端末機器Ｂ(30)に送信するＰｉｎｇ信号に単位変更があったことを示す信号を含めて送信し(Ｓ４６及びＳ４９)、各端末機器(20)(30)から単位の要求信号(Ａ４１及びＢ４１)を受信すると(Ｓ４７及びＳ５０)、夫々に現在の単位を送信する(Ｓ４８及びＳ５１)。
これにより、端末機器Ａ(20)及び端末機器Ｂ(30)の表示部(21)(31)の単位が更新される(Ａ４２、Ａ４３、Ｂ４２及びＢ４３)。
【００５３】
上記により、端末機器(20)(30)(40)の単位変更を行なうことができる。
【００５４】
＜中央装置の電源切断シーケンス＞
中央装置(10)に電源が投入されている間は、端末機器Ａ(20)及び端末機器Ｂ(30)は、図５に示すように、所定時間毎(例えば５秒)に、中央装置(10)とＰｉｎｇ信号の送受信を行ない、接続状態を確認する(図５中、Ａ６０〜Ａ６５、Ｓ６０〜Ｓ６９及びＢ６０〜Ｂ６３)。
この間に、図３及び図４を用いて説明したように、送受信シーケンスや、単位変更シーケンスが実施された場合には、上記のシーケンスに復帰する。
【００５５】
端末機器Ａ(20)及び端末機器Ｂ(30)が、複数回のＰｉｎｇ送信を行なってもＰｉｎｇ返信がなかった場合には(Ａ６６〜Ａ６８及びＢ６４〜Ｂ６６)、中央装置(10)の電源は切断(Ｓ７０)されたものと判断し、夫々の表示装置(21)(31)に電源オフの表示を行なうと共に、自らの運転も停止し、夫々、図２のＡ２、Ｂ２の待機状態に戻り(待機シーケンス)、中央装置(10)が運転を開始するまで、所定時間毎に接続要求確認を行なうようにする。
【００５６】
これにより、中央装置(10)との接続が確立していない状態での端末機器Ａ(20)及び端末機器Ｂ(30)の電池の消耗を可及的に抑えることができ、電池寿命の向上を図ることができる。
【００５７】
再度中央装置(10)に電源が投入されたり、通信状態が回復し、中央装置(10)との接続が再開されると、図２のシーケンスに従って、端末機器Ａ(20)及び端末機器Ｂ(30)の接続を再度確立すればよい。
【００５８】
なお、端末機器Ｃ(40)については、中央装置(10)の電源を切断した場合には、使用者の手により、電源プラグを抜いたり(Ｃ６０)、電源をオフとすることで、通電を遮断すればよい。
【００５９】
上記実施例では、待機シーケンスにおいて、端末機器Ａ(20)は、中央装置(10)からの接続要求確認を所定時間毎に行ない、接続確立シーケンスにて、中央装置(10)から端末機器Ａ(20)へ接続要求送信を連続して行なっているが、待機シーケンスにおいて、端末機器Ａ(20)で、中央装置(10)への接続要求送信を所定時間毎に行ない、接続確立シーケンスでは、中央装置(10)に電源が投入された後、中央装置(10)で端末機器Ａ(20)からの接続要求確認を連続して行なうようにしてもよい。
【００６０】
さらに、上記実施例では、本発明の無線通信方法を、締付トルク測定ユニットに適用して説明したが、本発明の適用は、本実施例に限定されるものでないことは勿論である。
【産業上の利用可能性】
【００６１】
本発明は、電池を電源とする端末機器を受信可能状態ではなく、所定時間毎に接続要求確認を行なうようにすることで、電池の消費を低減することができ、電池の長寿命化を達成できる無線通信システムとして有用である。
【符号の説明】
【００６２】
(10)  中央装置
(20)  端末機器Ａ
(30)  端末機器Ｂ
(40)  端末機器Ｃ
(60)  締付機
【図１】
2011130139.tif 000003
【図２】
2011130139.tif 000004
【図３】
2011130139.tif 000005
【図４】
2011130139.tif 000006
【図５】
2011130139.tif 000007